【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
シグナリングデータを第１の搬送波上で受信することと、
前記シグナリングデータを前記第１の搬送波上で受信することからトラフィックデータを第２の搬送波上で少なくとも送信または受信することに遷移させることと
を備える、無線通信の方法。
【請求項２】
前記トラフィックデータを前記第２の搬送波上で少なくとも送信または受信することから前記シグナリングデータを前記第１の搬送波上で受信することへの遷移を行うこと
をさらに備える、請求項１に記載の方法。
【請求項３】
前記トラフィックデータを前記第２の搬送波上で少なくとも送信または受信することから前記トラフィックデータを第３の搬送波上で少なくとも送信または受信することに遷移させること
をさらに備える、請求項１に記載の方法。
【請求項４】
前記シグナリングデータを前記第１の搬送波上で受信することから前記シグナリングデータを第４の搬送波上で受信することに遷移させること
をさらに備える、請求項２に記載の方法。
【請求項５】
シグナリングデータを前記第１の搬送波上で送信すること
をさらに備える、請求項１に記載の方法。
【請求項６】
前記第１の搬送波が前記第２の搬送波に関する情報を搬送する、請求項１に記載の方法。
【請求項７】
前記シグナリングデータを前記第１の搬送波上で受信すること、および前記トラフィックデータを前記第２の搬送波上で少なくとも送信または受信することがモバイルデバイスで生じる、請求項１に記載の方法。
【請求項８】
少なくとも前記第１の搬送波または前記第２の搬送波がフレキシブル帯域幅搬送波を備える、請求項１に記載の方法。
【請求項９】
前記第１の搬送波が第１の帯域幅を利用し、前記第２の搬送波が第２の帯域幅を利用する、請求項１に記載の方法。
【請求項１０】
第１のスケーリング係数を利用して、前記第１の帯域幅をスケーリングすることと、
第２のスケーリング係数を利用して、前記第２の帯域幅をスケーリングすることと
をさらに備える、請求項９に記載の方法。
【請求項１１】
少なくとも前記第１の帯域幅または前記第２の帯域幅を動的に調整すること
をさらに備える、請求項１０に記載の方法。
【請求項１２】
少なくとも前記第１の帯域幅または前記第２の帯域幅を動的に調整することが、
少なくとも前記第１の帯域幅または前記第２の帯域幅を予測されるトラフィック需要に基づいて調整すること
を備える、請求項１１に記載の方法。
【請求項１３】
前記第１のスケーリング係数を利用して、少なくとも前記第１の帯域幅をスケーリングすること、または前記第２の係数を利用して、前記第２の帯域幅をスケーリングすることが、
異なるスケーリング係数を利用して、少なくとも前記第１の帯域幅もしくは前記第２の帯域幅について少なくともアップリンクまたはダウンリンクをスケーリングすること
をさらに備える、請求項９に記載の方法。
【請求項１４】
トラフィックデータを第１の搬送波上で少なくとも送信または受信することと、
シグナリングデータを他のトラフィックデータのいずれからも別に第２の搬送波上で送信することと
を備える、無線通信の方法。
【請求項１５】
前記トラフィックデータを前記第１の搬送波上でモバイルデバイスに少なくとも送信または受信することから前記シグナリングデータを前記第２の搬送波上で前記モバイルデバイスに送信することに遷移させること
をさらに備える、請求項１４に記載の方法。
【請求項１６】
前記シグナリングデータを前記第２の搬送波上で前記モバイルデバイスに送信することから前記トラフィックデータを前記第１の搬送波上で前記モバイルデバイスに少なくとも送信または受信することに遷移させること
をさらに備える、請求項１５に記載の方法。
【請求項１７】
前記トラフィックデータを前記第１の搬送波上で少なくとも送信または受信すること、および前記シグナリングデータを前記第２の搬送波上で送信することへの遷移を行うこと
をさらに備える、請求項１４に記載の方法。
【請求項１８】
前記第２の搬送波が少なくとも前記第１の搬送波に関する情報を搬送する
請求項１４に記載の方法。
【請求項１９】
シグナリングデータを前記第２の搬送波上で受信すること
をさらに備える、請求項１４に記載の方法。
【請求項２０】
少なくとも前記第１の搬送波または前記第２の搬送波がフレキシブル帯域幅搬送波を備える、請求項１４に記載の方法。
【請求項２１】
前記第１の帯域幅および前記第２の帯域幅が共通のスケーリング係数を利用する、請求項２０に記載の方法。
【請求項２２】
少なくとも前記第１の搬送波または前記第２の搬送波が通常の帯域幅搬送波を備える、請求項２０に記載の方法。
【請求項２３】
前記トラフィックデータを少なくとも送信または受信すること、または前記シグナリングデータを送信することが、少なくともシグナリング容量、トラフィック容量、またはページング容量を増加させる、請求項１４に記載の方法。
【請求項２４】
前記シグナリングデータが、トラフィックデータを前記第１の搬送波上で送信するために必要であることも、必要でないこともある、少なくともブロードキャストメッセージ、システム情報ページング、同期、パイロットデータ、セル構成パラメータ、ページ、またはオペレータ特定情報を備える、請求項１４に記載の方法。
【請求項２５】
前記トラフィックデータが、前記トラフィックデータを支援するために、少なくともユーザデータまたは制御情報を備える、請求項１４に記載の方法。
【請求項２６】
前記第２の搬送波がアイドルモードに関して使用され、前記第１の帯域幅搬送波が接続モードに関して利用される、請求項１４に記載の方法。
【請求項２７】
前記第１の搬送波内および前記第２の搬送波内のユーザが、少なくともコード、時間、または周波数によって分離される、請求項１４に記載の方法。
【請求項２８】
前記第１の搬送波上のユーザが前記第２の搬送波上のユーザとは異なって分離される、請求項１４に記載の方法。
【請求項２９】
前記第１の搬送波内のユーザが時間によって分離され、前記第２の搬送波上の前記ユーザが周波数によって分離される、請求項２８に記載の方法。
【請求項３０】
前記第１の搬送波がＦＤＤを利用し、前記第２の搬送波がＴＤＤを利用する、請求項１４に記載の方法。
【請求項３１】
少なくとも前記第１の搬送波または前記第２の搬送波が、少なくともコード、時間、または周波数を利用して、順方向リンク伝送と逆方向リンク伝送とを分離する、請求項１４に記載の方法。
【請求項３２】
前記第１の搬送波および前記第２の搬送波が、異なる方式で順方向リンク伝送と逆方向リンク伝送とを分離する、請求項３１に記載の方法。
【請求項３３】
前記第１の搬送波の帯域幅が第１のスケーリング係数を利用してスケーリングされ、前記第２の搬送波の帯域幅が第２のスケーリング係数を利用してスケーリングされる、請求項１４に記載の方法。
【請求項３４】
少なくとも前記第１のスケーリング係数または前記第２のスケーリング係数が動的に調整される、請求項３３に記載の方法。
【請求項３５】
少なくとも前記第１のスケーリング係数または前記第２のスケーリング係数を動的に調整することが、予測されるトラフィック需要に基づく、請求項３４に記載の方法。
【請求項３６】
トラフィックデータを第３の搬送波上で少なくとも送信または受信することと、
シグナリングデータを前記第２の搬送波上で送信することをさらに備え、前記第２の搬送波が少なくとも前記第１の搬送波または前記第３の搬送波に関する情報を搬送する、請求項１４に記載の方法。
【請求項３７】
トラフィックデータを第３の搬送波上で少なくとも送信または受信することと、
シグナリングデータを第４の搬送波上で送信することをさらに備え、前記第４の搬送波が少なくとも前記第１の搬送波または前記第３の搬送波に関する情報を搬送し、前記第２の搬送波が少なくとも前記第１の搬送波または前記第３の搬送波に関する情報を搬送する、請求項１４に記載の方法。
【請求項３８】
少なくとも前記トラフィックデータもしくは前記シグナリングデータを少なくとも送信または受信することが基地局で生じる、請求項１４に記載の方法。
【請求項３９】
少なくとも前記トラフィックデータもしくは前記シグナリングデータを少なくとも送信または受信することがモバイルデバイスで生じる、請求項１４に記載の方法。
【請求項４０】
シグナリングデータを第１の搬送波上で受信するための手段と、
シグナリングデータを前記第１の搬送波上で受信することからトラフィックデータを第２の搬送波上で少なくとも送信または受信することに遷移させるための手段と
を備える無線通信システム。
【請求項４１】
前記トラフィックデータを前記第２の搬送波上で少なくとも送信または受信することから前記シグナリングデータを前記第１の搬送波上で受信することへの遷移を行うための手段
をさらに備える、請求項４０に記載の無線通信システム。
【請求項４２】
前記第１の搬送波が第１の帯域幅を利用し、前記第２の搬送波が第２の帯域幅を利用し、
第１のスケーリング係数を利用して、前記第１の帯域幅をスケーリングするための手段と、
第２のスケーリング係数を利用して、前記第２の帯域幅をスケーリングするための手段と
をさらに備える、請求項４０に記載の無線通信システム。
【請求項４３】
少なくとも前記第１のスケーリング係数または前記第２のスケーリング係数を動的に調整するための手段
をさらに備える、請求項４２に記載の無線通信システム。
【請求項４４】
少なくとも前記第１のスケーリング係数または前記第２のスケーリング係数を動的に調整するための前記手段が、
少なくとも前記第１のスケーリング係数または前記第２のスケーリング係数を予測されるトラフィック需要に基づいて調整するための手段
を備える、請求項４３に記載の無線通信システム。
【請求項４５】
シグナリングデータを第１の搬送波上で受信するためのコードと、
シグナリングデータを前記第１の搬送波上で受信することからトラフィックデータを第２の搬送波上で少なくとも送信または受信することに遷移させるためのコードと
を備えた非一時的コンピュータ可読媒体
を備える、無線通信システムのためのコンピュータプログラム製品。
【請求項４６】
前記非一時的コンピュータ可読媒体が、
前記トラフィックデータを前記第２の搬送波上で少なくとも送信または受信することから前記シグナリングデータを前記第１の搬送波上で受信することへの遷移を行うためのコードをさらに備える、請求項４５に記載のコンピュータプログラム製品。
【請求項４７】
前記非一時的コンピュータ可読媒体が、
第１のスケーリング係数を利用して、前記第１の搬送波の帯域幅をスケーリングするためのコードと、
第２のスケーリング係数を利用して、前記第２の搬送波の帯域幅をスケーリングするためのコードと
をさらに備える、請求項４５に記載のコンピュータプログラム製品。
【請求項４８】
前記非一時的コンピュータ可読媒体が、
少なくとも前記第１のスケーリング係数または前記第２のスケーリング係数を動的に調整するためのコード
をさらに備える、請求項４７に記載のコンピュータプログラム製品。
【請求項４９】
少なくとも前記第１のスケーリング係数または前記第２のスケーリング係数を動的に調整するためのコードを備えた前記非一時的コンピュータ可読媒体が、
少なくとも前記第１のスケーリング係数または前記第２のスケーリング係数を予測されるトラフィック需要に基づいて調整するためのコードをさらに備える、請求項４８に記載のコンピュータプログラム製品。
【請求項５０】
シグナリングデータを第１の搬送波上で受信し、
シグナリングデータを前記第１の搬送波上で受信することからトラフィックデータを第２の搬送波上で少なくとも送信または受信することに遷移させるように構成された、少なくとも１つのプロセッサと、
前記少なくとも１つのプロセッサと結合された、少なくとも１つのメモリと
を備える無線通信デバイス。
【請求項５１】
前記少なくとも１つのプロセッサが、
前記トラフィックデータを前記第２の搬送波上で少なくとも送信または受信することから前記シグナリングデータを前記第１の搬送波上で受信することへの遷移を行うようにさらに構成される、請求項５０に記載の無線通信デバイス。
【請求項５２】
前記少なくとも１つのプロセッサが、
第１のスケーリング係数を利用して、前記第１の搬送波の帯域幅をスケーリングし、
第２のスケーリング係数を利用して、前記第２の搬送波の帯域幅をスケーリングするようにさらに構成される、請求項５０に記載の無線通信デバイス。
【請求項５３】
前記少なくとも１つのプロセッサが、
少なくとも前記第１のスケーリング係数または前記第２のスケーリング係数を動的に調整するようにさらに構成される、請求項５２に記載の無線通信デバイス。
【請求項５４】
少なくとも前記第１のスケーリング係数または前記第２のスケーリング係数を動的に調整することを行うように構成された前記少なくとも１つのプロセッサは、
少なくとも前記第１のスケーリング係数または前記第２のスケーリング係数を予測されるトラフィック需要に基づいて調整するようにさらに構成される、請求項５３に記載の無線通信デバイス。
【請求項５５】
トラフィックデータを第１の搬送波上で少なくとも送信または受信するための手段と、
シグナリングデータを他のトラフィックデータのいずれからも別に第２の搬送波上で送信するための手段と
を備える無線通信システム。
【請求項５６】
前記トラフィックデータを前記第１の搬送波上でモバイルデバイスに少なくとも送信または受信することから前記シグナリングデータを前記第２の搬送波上で前記モバイルデバイスに送信することに遷移させるための手段をさらに備える、請求項５５に記載の無線通信システム。
【請求項５７】
前記シグナリングデータを前記第２の搬送波上で前記モバイルデバイスに送信することから前記トラフィックデータを前記第１の搬送波上で前記モバイルデバイスに少なくとも送信または受信することに遷移させるための手段をさらに備える、請求項５６に記載の無線通信システム。
【請求項５８】
前記トラフィックデータを前記第１の搬送波上で少なくとも送信または受信すること、およびシグナリングデータを前記第２の搬送波上で送信することへの遷移を行うための手段をさらに備える、請求項５５に記載の無線通信システム。
【請求項５９】
前記トラフィックデータを第３の搬送波上で少なくとも送信または受信するための手段と、
シグナリングデータを前記第２の搬送波上で送信するための手段であって、前記第２の搬送波が少なくとも前記第１の搬送波または前記第２の搬送波に関する情報を搬送する、送信するための手段と
をさらに備える、請求項５５に記載の無線通信システム。
【請求項６０】
トラフィックデータを第１の搬送波上で少なくとも送信または受信するためのコードと、
シグナリングデータを他のトラフィックデータのいずれからも別に第２の搬送波上で送信するためのコードと
を備えた非一時的コンピュータ可読媒体を備える、無線通信システムのためのコンピュータプログラム製品。
【請求項６１】
前記非一時的コンピュータ可読媒体が、
前記トラフィックデータを前記第１の搬送波上でモバイルデバイスに少なくとも送信または受信することから前記シグナリングデータを前記第２の搬送波上で前記モバイルデバイスに送信することに遷移させるためのコードをさらに備える、請求項６０に記載のコンピュータプログラム製品。
【請求項６２】
前記非一時的コンピュータ可読媒体が、
前記シグナリングデータを前記第２の搬送波上で前記モバイルデバイスに送信することから前記トラフィックデータを前記第１の搬送波上で前記モバイルデバイスに少なくとも送信または受信することに遷移させるためのコードをさらに備える、請求項６１に記載のコンピュータプログラム製品。
【請求項６３】
前記非一時的コンピュータ可読媒体が、
前記トラフィックデータを前記第１の搬送波上で少なくとも送信または受信すること、およびシグナリングデータを前記第２の搬送波上で送信することへの遷移を行うためのコードをさらに備える、請求項６０に記載のコンピュータプログラム製品。
【請求項６４】
前記非一時的コンピュータ可読媒体が、
トラフィックデータを第３の搬送波上で少なくとも送信または受信するためのコードと、
シグナリングデータを前記第２の搬送波上で送信するためのコードであって、前記第２の搬送波が少なくとも前記第１の搬送波または前記第３の搬送波に関する情報を搬送する、送信するためのコードと
をさらに備える請求項６０に記載のコンピュータプログラム製品。
【請求項６５】
トラフィックデータを第１の搬送波上で少なくとも送信または受信し、
シグナリングデータを他のトラフィックデータのいずれからも別に第２の搬送波上で送信するように構成された、少なくとも１つのプロセッサと、
前記少なくとも１つのプロセッサに結合された、少なくとも１つのメモリと
を備える無線通信デバイス。
【請求項６６】
前記少なくとも１つのプロセッサが、
前記トラフィックデータを前記第１の搬送波上でモバイルデバイスに少なくとも送信または受信することから前記シグナリングデータを前記第２の搬送波上で前記モバイルデバイスに送信することに遷移させるようにさらに構成される、請求項６５に記載の無線通信デバイス。
【請求項６７】
前記少なくとも１つのプロセッサが、
前記シグナリングデータを前記第２の搬送波上で前記モバイルデバイスに送信することから前記トラフィックデータを前記第１の搬送波上で前記モバイルデバイスに送信することに遷移させるようにさらに構成される、請求項６６に記載の無線通信デバイス。
【請求項６８】
前記少なくとも１つのプロセッサが、
前記トラフィックデータを前記第１の搬送波上で少なくとも送信または受信すること、およびシグナリングデータを前記第２の搬送波上で送信することへの遷移を行うようにさらに構成される、請求項６５に記載の無線通信デバイス。
【請求項６９】
前記少なくとも１つのプロセッサが、
トラフィックデータを第３の搬送波上で少なくとも送信または受信することと、
シグナリングデータを前記第２の搬送波上で送信することであって、前記第２の搬送波が少なくとも前記第１の搬送波または前記第３の搬送波に関する情報を搬送する、送信することと
を行うようにさらに構成される、請求項６５に記載の無線通信デバイス。
【手続補正２】
【補正対象書類名】明細書
【補正対象項目名】０００７
【補正方法】変更
【補正の内容】
【０００７】
いくつかの実施形態では、少なくとも第１の搬送波または第２の搬送波がフレキシブル帯域幅搬送波を含む。いくつかの実施形態では、第１の搬送波が第１の帯域幅を利用し、第２の搬送波が第２の帯域幅を利用する。いくつかの実施形態は、第１のスケーリング係数を利用して、第１の帯域幅をスケーリングすること、および／または第２のスケーリング係数を利用して、第２の帯域幅をスケーリングすることを含む。少なくとも第１の帯域幅または第２の帯域幅は動的に調整され得る。少なくとも第１の帯域幅または第２の帯域幅を動的に調整することは、少なくとも第１の帯域幅または第２の帯域幅を予測されるトラフィック需要に基づいて調整することを含み得る。いくつかの実施形態では、少なくとも、第１のスケーリング係数を利用して第１の帯域幅をスケーリングすること、または第２のスケーリング係数を利用して第２の帯域幅をスケーリングすることが、異なるスケーリング係数を利用して、少なくとも第１の帯域幅もしくは第２の帯域幅について少なくともアップリンクまたはダウンリンクをスケーリングすることを含む。
【手続補正３】
【補正対象書類名】明細書
【補正対象項目名】０００８
【補正方法】変更
【補正の内容】
【０００８】
いくつかの実施形態は、トラフィックデータを第１の搬送波上で少なくとも送信または受信すること、および／またはシグナリングデータを他のトラフィックデータのいずれからも別に第２の搬送波上で送信することを含む無線通信の方法を含む。いくつかの実施形態は、トラフィックデータを第１の搬送波上でモバイルデバイスにまたはから少なくとも送信または受信することからシグナリングデータを第２の搬送波上でモバイルデバイスに送信することに遷移させることを含む。いくつかの実施形態は、シグナリングデータを第２の搬送波上でモバイルデバイスに送信することからトラフィックデータを第１の搬送波上でモバイルデバイスにまたはから少なくとも送信または受信することに遷移させることを含む。いくつかの実施形態は、トラフィックデータを第１の搬送波上で少なくとも送信または受信すること、およびシグナリングデータを第２の搬送波上で送信することへの遷移を行うことを含む。いくつかの実施形態では、第２の搬送波が少なくとも第１の搬送波に関する情報を搬送する。いくつかの実施形態は、シグナリングデータを第２の搬送波上で受信することを含む。
【手続補正４】
【補正対象書類名】明細書
【補正対象項目名】００２１
【補正方法】変更
【補正の内容】
【００２１】
いくつかの実施形態は、トラフィックデータを第１の搬送波上で少なくとも送信または受信するための手段、および／またはシグナリングデータを他のトラフィックデータのいずれからも別に第２の搬送波上で送信するための手段を含む無線通信システムを含む。このシステムは、トラフィックデータを第１の搬送波上でモバイルデバイスにまたはから少なくとも送信または受信することからシグナリングデータを第２の搬送波上でモバイルデバイスに送信することに遷移させるための手段を含むことができる。このシステムは、シグナリングデータを第２の搬送波上でモバイルデバイスに送信することからトラフィックデータを第１の搬送波上でモバイルデバイスにまたはから少なくとも送信または受信することに遷移させるための手段を含むことができる。いくつかの実施形態は、トラフィックデータを第１の搬送波上で少なくとも送信または受信すること、およびシグナリングデータを第２の搬送波上で送信することへの遷移を行うための手段を含む。いくつかの実施形態は、トラフィックデータを第３の搬送波上で少なくとも送信または受信するための手段、および／またはシグナリングデータを第２の搬送波上で送信するための手段を含む。第２の搬送波は、少なくとも第１の搬送波または第２の搬送波に関する情報を含むことができる。
【手続補正５】
【補正対象書類名】明細書
【補正対象項目名】００２２
【補正方法】変更
【補正の内容】
【００２２】
いくつかの実施形態は、トラフィックデータを第１の搬送波上で少なくとも送信または受信するためのコード、および／またはシグナリングデータを他のトラフィックデータのいずれからも別に第２の搬送波上で送信するためのコードを含む非一時的コンピュータ可読媒体を含む、無線通信システムのためのコンピュータプログラム製品を含む。この非一時的コンピュータ可読媒体は、トラフィックデータを第１の搬送波上でモバイルデバイスにまたはから少なくとも送信または受信することからシグナリングデータを第２の搬送波上でモバイルデバイスに送信することに遷移させるためのコードを含むことができる。いくつかの実施形態は、シグナリングデータを第２の搬送波上でモバイルデバイスに送信することからトラフィックデータを第１の搬送波上でモバイルデバイスにまたはから少なくとも送信または受信することに遷移させるためのコードを含む。この非一時的コンピュータ可読媒体は、トラフィックデータを第１の搬送波上で少なくとも送信または受信すること、およびシグナリングデータを第２の搬送波上で送信することへの遷移を行うためのコードを含むことができる。この非一時的コンピュータ可読媒体は、トラフィックデータを第３の搬送波上で少なくとも送信または受信するためのコード、および／またはシグナリングデータを第２の搬送波上で送信するためのコードを含むことが可能であり、第２の搬送波は少なくとも第１の搬送波または第３の搬送波に関する情報を搬送する。
【手続補正６】
【補正対象書類名】明細書
【補正対象項目名】００２３
【補正方法】変更
【補正の内容】
【００２３】
いくつかの実施形態は、トラフィックデータを第１の搬送波上で少なくとも送信または受信し、かつ／またはシグナリングデータを他のトラフィックデータのいずれからも別に第２の搬送波上で送信するように構成された、少なくとも１つのプロセッサを含む無線デバイスを含む。デバイスは、少なくとも１つのプロセッサに結合された少なくとも１つのメモリを含むことができる。この少なくとも１つのプロセッサは、トラフィックデータを第１の搬送波上でモバイルデバイスにまたはから少なくとも送信または受信することからシグナリングデータを第２の搬送波上でモバイルデバイスに送信することに遷移させるように構成できる。この少なくとも１つのプロセッサは、シグナリングデータを第２の搬送波上でモバイルデバイスに送信することからトラフィックデータを第１の搬送波上でモバイルデバイスに送信することに遷移させるように構成できる。この少なくとも１つのプロセッサは、トラフィックデータを第１の搬送波上で少なくとも送信または受信すること、およびシグナリングデータを第２の搬送波上で送信することへの遷移を行うように構成できる。この少なくとも１つのプロセッサは、トラフィックデータを第３の搬送波上で少なくとも送信または受信し、かつ／またはシグナリングデータを第２の搬送波上で送信するように構成できる。第２の搬送波は少なくとも第１の搬送波または第３の搬送波に関する情報を搬送できる。
【手続補正７】
【補正対象書類名】明細書
【補正対象項目名】００３６
【補正方法】変更
【補正の内容】
【００３６】
モバイルデバイス１１５および／または基地局１０５のうちのいくつかは、第１のスケーリング係数を利用して、第１の搬送波の帯域幅をスケーリングし、第２のスケーリング係数を利用して、第２の搬送波の帯域幅をスケーリングするように構成できる。第１のスケーリング係数および第２のスケーリング係数は同じであっても、異なってもよい。スケーリング係数は単一であってよい。スケーリング係数を特定のフレキシブル帯域幅と関連付けることができる。モバイルデバイス１１５および／または基地局１０５のうちのいくつかは、少なくとも第１のスケーリング係数または第２のスケーリング係数を動的に調整できる。少なくとも第１のスケーリング係数または第２のスケーリング係数を動的に調整することは、少なくとも第１のスケーリング係数または第２のスケーリング係数を予測されるトラフィック需要に基づいて調整することを含むことができる。
【手続補正８】
【補正対象書類名】明細書
【補正対象項目名】００４６
【補正方法】変更
【補正の内容】
【００４６】
図５Ａは、シグナリングとトラフィックとが結合されてよい例５００−ａを示す。組み合わされたシグナリングおよびトラフィック５１０は、通常の、すなわち、Ｎ＝１の帯域幅システムを示し、組み合わされたシグナリングおよびトラフィック５１５は、この例ではＮ＞１である、フレキシブル帯域幅システムを示す。これら２つの事例では、シグナリング情報およびトラフィック情報は、それぞれ、１個のコードおよびＫ−１個のコードを使用して搬送され得る。図５Ｂは、様々な実施形態による、シグナリングとトラフィックとをスプリットする例５００−ｂを示す。例５００−ｂは、Ｎ＞１であるフレキシブル帯域幅の使用を示す。この例では、Ｋ個のコードをシグナリングに割り当てることができるため、シグナリングはコード５２０−１、．．．、５２０−ｋを使用して搬送され得る。図５Ａおよび図５Ｂは、非フレキシブル帯域幅システム内のパケットの伝送時間が（伝送に関して１個のコードを使用して）Ｔｍｓかかる場合、同じパケットがスケーリング係数Ｎを用いてフレキシブル帯域幅システム内で送信されるとき、伝送がＮ×Ｔｍｓかかることを示す。ｋ個のコードをシグナリングに割り当てることができるように、シグナリング搬送波とデータ搬送波とが分離されるとき、同じパケットの伝送時間をＮ×Ｔ／ｋｍｓまで削減できる。図５Ｂは、フレーム構造またはスロット構造に基づく例を示すが、いくつかの実施形態は、メッセージ構造に基づいて実施できる。コードの代わりに、（例えば、ＣＤＭＡ２０００  １ＸＥＶ−ＤＯでは）時間または周波数（例えば、ＬＴＥ）に関して同様の類推を行うことができる。
【手続補正９】
【補正対象書類名】明細書
【補正対象項目名】００５１
【補正方法】変更
【補正の内容】
【００５１】
いくつかの実施形態では、異なる搬送波を異なるモバイルデバイス状態にマッピングできる。例えば、ＬＴＥでは、特に、シグナリング搬送波をアイドルモードに使用し、トラフィックを接続モードに使用できる。ＵＭＴＳでは、例えば、ＩＤＬＥモード、ＣＥＬＬ＿ＦＡＣＨモード、ＣＥＬＬ＿ＤＣＨモード、ＵＲＡ＿ＰＣＨモード、および／またはＣＥＬＬ＿ＰＣＨモードでデータを搬送するために異なる搬送波を使用できる。いくつかの実施形態では、ＩＤＬＥおよび／またはＵＲＡ＿ＰＣＨ／ＣＥＬＬ＿ＰＣＨを同じシグナリング搬送波内で搬送することができ（これらはモバイルデバイスがネットワークから情報を受信できるが、送信することはできない状態である）、ＣＥＬＬ＿ＤＣＨ状態および／またはＣＥＬＬ＿ＦＡＣＨ状態（モバイルデバイスがネットワークからデータをアクティブに送受信できる状態）を同じトラフィック搬送波内で搬送できる。
【手続補正１０】
【補正対象書類名】明細書
【補正対象項目名】００５４
【補正方法】変更
【補正の内容】
【００５４】
単に例として、モバイルデバイスは、シグナリングフレキシブル帯域幅搬送波およびトラフィックフレキシブル帯域幅搬送波を利用することに関して、いくつかの異なる動作を行い得る。例えば、モバイルデバイスは、電源をオンにして、シグナリングフレキシブル帯域幅搬送波を聴取できる。場合によっては、モバイルデバイスは、モバイルデバイスが、シグナリング搬送波であってよい搬送波上にいつキャンプしている（camping）かを認識することができない。モバイルデバイスは、モバイルデバイスがアイドルモードで動作するのを可能にするためにブロードキャストされたシステム情報を含むことが可能なシステム情報を得ることができる。モバイルデバイスは、次いで、シグナリングフレキシブル帯域幅搬送波を使用して、ネットワークに登録できる。モバイルデバイスは、ページを聴取して、他のシグナリングフレキシブル帯域幅搬送波および／またはトラフィックフレキシブル帯域幅搬送波を監視できる。シグナリング搬送波上にキャンプしている間、モバイルデバイスは、ページを受信できるか、または、場合によっては、モバイルデバイスが、選択されたフレキシブル帯域幅トラフィック搬送波にどのようにアクセスするにかについての特定の情報に関して接続モードシステム情報を読み取ることができるように、呼を発信することを望む場合がある。モバイルデバイスは、ＣＥＬＬ＿ＦＡＣＨ／ＣＥＬＬ＿ＤＣＨをサポートするフレキシブル帯域幅トラフィック搬送波に同調することができ、呼を行うため、および／または呼を受信するために、トラフィックチャネル上の無線リソースを要求できる。トラフィック搬送波上で、モバイルデバイスはフレキシブル帯域幅搬送波上でパケットデータもしくは音声データを送信および／または受信することができ、その呼が完了したとき、そのモバイルデバイスが遷移させることを意図する次の搬送波にアクセスするための支援データ（例えば、シグナリングフレキシブル帯域幅搬送波に関するタイミング情報）を要求および／または受信することもできる。呼が完了すると、モバイルデバイスはコアネットワークリソース（すなわち、ベアラ）を開放することができ、モバイルデバイスは、（ＩＤＬＥモードをサポートする）シグナリングフレキシブル帯域幅搬送波を再選択し、その上にキャンプできる。この例は、シグナリング搬送波がアイ
ドルモードだけをサポートすることが可能であり、トラフィック搬送波がＣＥＬＬ＿ＦＡＣＨ状態／ＣＥＬＬ＿ＤＣＨ状態をサポートするＵＭＴＳ  ＷＣＤＭＡリリース９９シナリオに関する。いくつかの実施形態は、他の状態、分割および／またはグループ（例えば、あるクラスのオーバヘッドメッセージ、ページングなど）を利用できる。
【手続補正１１】
【補正対象書類名】明細書
【補正対象項目名】００５５
【補正方法】変更
【補正の内容】
【００５５】
いくつかの実施形態は、ＵＭＴＳを利用して実施できる。通常のＵＭＴＳ搬送波は、今日、同じ搬送波内のすべてのモバイルデバイス状態（すなわち、通常のＵＭＴＳ搬送波＝ＩＤＬＥ＋ＣＥＬＬ＿ＦＡＣＨ＋ＣＥＬＬ＿ＰＣＨ＋ＣＥＬＬ＿ＤＣＨ）をサポートする。いくつかの実施形態では、これら構成に対するサポートを提供する異なるシグナリング搬送波およびトラフィック搬送波が可能である。例えば、シグナリングはシグナリング搬送波上で生じ得る。いくつかの実施形態では、ＩＤＬＥ、ＵＲＡ＿ＰＣＨ、およびＣＥＬＬ＿ＰＣＨを別個のシグナリング搬送波上でサポートすることが可能であり、ＣＥＬＬ＿ＦＡＣＨ状態およびＣＥＬＬ＿ＤＣＨ状態を別個のトラフィック搬送波内でサポートすることもできる。いくつかの実施形態では、シグナリング搬送波は、ＩＤＬＥとＣＥＬＬ＿ＰＣＨ／ＵＲＡ＿ＰＣＨ状態の両方を含むことが可能であり、トラフィック搬送波は、ＣＥＬＬ＿ＤＣＨ状態とＣＥＬＬ＿ＦＡＣＨ状態の両方を含むこともできる。
【手続補正１２】
【補正対象書類名】明細書
【補正対象項目名】００５６
【補正方法】変更
【補正の内容】
【００５６】
いくつかの実施形態は、シグナリング搬送波上にシグナリングと（特に、登録など、ＮＡＳ移動度に関する）小型パケット伝送とを含むことができる。それらの事例では、シグナリング搬送波は、ＩＤＬＥ状態とＣＥＬＬ＿ＦＡＣＨ状態の両方、またはＣＥＬＬ＿ＰＣＨ／ＵＲＡ＿ＰＣＨとＣＥＬＬ＿ＦＡＣＨ状態の両方を含むことが可能であり、トラフィック搬送波は、ＣＥＬＬ  ＤＣＨ状態、ＣＥＬＬ＿ＦＡＣＨ状態、またはＣＥＬＬ＿ＤＣＨ状態とＣＥＬＬ＿ＦＡＣＨ状態の両方を含むことができる。いくつかの実施形態では、シグナリング搬送波は、ＩＤＬＥ、ＣＥＬＬ＿ＦＡＣＨ、およびＣＥＬＬ＿ＰＣＨ／ＵＲＡ＿ＰＣＨを含むことが可能であり、トラフィック搬送波は、ＣＥＬＬ＿ＤＣＨ、ＣＥＬＬ＿ＦＡＣＨ、またはＣＥＬＬ＿ＤＣＨおよびＣＥＬＬ＿ＦＡＣＨ状態を含むことができる。シグナリング搬送波はＣＥＬＬ＿ＦＡＣＨをサポートできるが、ＣＥＬＬ＿ＦＡＣＨ状態専用のリソースは、ＩＤＬＥ／ＣＥＬＬ＿ＰＣＨ状態と比較して最小であり得ることに留意されたい。従って、中から高データレートの伝送を送信するためにモバイルデバイスが移動できるＣＥＬＬ＿ＦＡＣＨまたはＣＥＬＬ＿ＤＣＨを有する他のトラフィック搬送波が存在する場合がある。
【手続補正１３】
【補正対象書類名】明細書
【補正対象項目名】００９８
【補正方法】変更
【補正の内容】
【００９８】
いくつかの実施形態は、トラフィックデータを第１の搬送波上でモバイルデバイスに／から送信および／または受信することからシグナリングデータを第２の搬送波上でモバイルデバイスに送信することに遷移させるようにデバイス１０００を構成させることを含む。シグナリングデータを第２の搬送波上でモバイルデバイスに送信することからトラフィックデータを第１の搬送波上でモバイルデバイスに送信および／または受信することに遷移させることも生じ得る。基地局は、トラフィックデータを第１の搬送波上で送信および／または受信することへの遷移、およびシグナリングデータを第２の搬送波上で送信することへの遷移を行い得る。
【手続補正１４】
【補正対象書類名】明細書
【補正対象項目名】０１０４
【補正方法】変更
【補正の内容】
【０１０４】
いくつかの実施形態は、トラフィック搬送波モジュール１０１５を使用して、トラフィックデータを第３の搬送波上で送信および／または受信することを含むことができる。シグナリング搬送波モジュール１０１０を使用して、シグナリングデータを第２の搬送波上で送信できる。信号データは、第３の搬送波上のトラフィックデータに対応し得る。第２の搬送波は、第１の搬送波および／または第３の搬送波に関する情報を搬送できる。第３の搬送波はフレキシブル帯域幅搬送波であってよい。いくつかの実施形態は、トラフィックデータを第３の搬送波上で送信および／または受信することと、シグナリングデータを第４の搬送波上で送信することとを含むことができる。第４の搬送波は、第１の搬送波および／または第３の搬送波に関する情報を搬送することができ、第２の搬送波は、第１の搬送波および／または第３の搬送波に関する情報を搬送できる。
【手続補正１５】
【補正対象書類名】明細書
【補正対象項目名】０１０７
【補正方法】変更
【補正の内容】
【０１０７】
メモリ１１７０は、ランダムアクセスメモリ（ＲＡＭ）と、読出し専用メモリ（ＲＯＭ）とを含むことができる。メモリ１１７０は、実行されたとき、プロセッサモジュール１１６５に本明細書で説明される様々な機能（例えば、呼処理、データベース管理、メッセージルーティングなど）を行わせるように構成された命令を含む、コンピュータ可読、コンピュータ実行可能ソフトウェア１１７１を記憶することもできる。あるいは、ソフトウェア１１７１は、プロセッサモジュール１１６５によって直接的に実行可能でなくてよいが、例えば、コンパイルおよび実行されたとき、コンピュータに本明細書で説明される機能を行わせるように構成できる。
【手続補正１６】
【補正対象書類名】明細書
【補正対象項目名】０１１２
【補正方法】変更
【補正の内容】
【０１１２】
基地局１０５−ｄは、スペクトル識別モジュールを含むこともできる。スペクトル識別モジュールは、フレキシブル波形に関して利用可能なスペクトルを識別するために利用できる。いくつかの実施形態では、ハンドオーバモジュール１１２５は、再選択手順と、ある基地局１０５から別の基地局へのモバイルデバイス１１５−ｆのハンドオーバ手順とを行うために利用できる。例えば、ハンドオーバモジュール１１２５は、モバイルデバイス１１５−ｆのシグナリング搬送波から別のシグナリング搬送波への、あるトラフィック搬送波から別のトラフィック搬送波への、かつシグナリング搬送波とトラフィック搬送波との間のハンドオーバ手順を行い得る。これら搬送波をサポートする基地局１０５は、モバイルデバイス１１５−ｆと基地局１０５との間で通常波形またはフレキシブル波形を利用できる。いくつかの実施形態では、遷移モジュール８１２−ｂおよびハンドオーバモジュール１１２５を１つのモジュールに結合させることができる。スケーリングモジュール１１１０は、フレキシブル波形を生成する目的で、チップレートをスケーリングおよびまたは変更するために利用できる。
【手続補正１７】
【補正対象書類名】明細書
【補正対象項目名】０１１５
【補正方法】変更
【補正の内容】
【０１１５】
送信プロセッサ１２２０はデータを処理できる。送信プロセッサ１２２０は、基準シンボルとセル特定基準信号とを生成することもできる。送信（ＴＸ）ＭＩＭＯプロセッサ１２３０は、適用可能な場合、データシンボル、制御シンボル、および／または基準シンボルに関する空間処理（例えば、プリコーディング）を行い、出力シンボルストリームを送信変調器１２３２−ａ〜１２３２−ｘに提供し得る。各送信変調器１２３２は、出力サンプルストリームを取得するために（例えば、ＯＦＤＭなどに関して）該当の出力シンボルストリームを処理できる。各送信変調器１２３２は、ダウンリンク（ＤＬ）信号を取得するために、出力サンプルストリームをさらに処理（例えば、アナログに変換、増幅、フィルタリング、およびアップコンバート）できる。一例では、送信変調器１２３２−ａ〜１２３２−ｘからのＤＬ信号は、それぞれ、アンテナ１２３４−ａ〜１２３４−ｘを介して送信できる。送信プロセッサ１２２０は、プロセッサ１２４０から情報を受信できる。プロセッサ１２４０はメモリ１２４２に結合できる。プロセッサ１２４０は、チップレートを変更すること、および／またはスケーリング係数を利用することによって、フレキシブル波形を生成するように構成可能であり、場合によっては、これを動的に行うことができる。プロセッサ１２４０は、異なる位置合わせ手順および／またはオフセット手順を提供することもできる。プロセッサ１２４０は、他のサブシステムに関する測定を行うため、他のサブシステムに対するハンドオフを行うため、再選択を行うためなどに、スケーリング情報および／またはチップレート情報を利用できる。プロセッサ１２４０は、パラメータスケーリングによって、フレキシブル帯域幅の使用に関連する時間延長の影響を反転できる。いくつかの実施形態では、プロセッサ１２４０は、シグナリングとデータトラフィックとを、フレキシブル帯域幅搬送波であってよい異なる搬送波に分離するように構成できる。場合によっては、割り当てたれたリソースをトラフィックパターンに合わせてカスタマイズできるように、これを利用できる。いくつかの実施形態では、プロセッサ１２４０は、汎用プロセッサ、送信プロセッサ１２２０、および／または受信機プロセッサ１２３８の一部として実施できる。
【手続補正１８】
【補正対象書類名】明細書
【補正対象項目名】０１１７
【補正方法】変更
【補正の内容】
【０１１７】
アップリンク（ＵＬ）上で、モバイルデバイス１１５−ｇにおいて、送信プロセッサ１２６４は、データソースからデータを受信し、処理できる。送信プロセッサ１２６４は、基準信号に関する基準シンボルを生成することもできる。送信プロセッサ１２６４からのシンボルは、適用可能な場合、送信ＭＩＭＯプロセッサ１２６６によってプリコーディングされ、（例えば、ＳＣ−ＦＤＭＡなどの場合）復調器１２５４−ａ〜１２５４−ｎによってさらに処理され、基地局１０５−ｅから受信した送信パラメータに従って、基地局１０５−ｅに送信されてもよい。送信プロセッサ１２６４は、チップレートを変更することおよび／またはスケーリング係数を利用することによって、フレキシブル波形を生成するようにも構成可能であり、場合によっては、これを動的に行うことができる。送信プロセッサ１２６４はプロセッサ１２８０から情報を受信できる。プロセッサ１２８０は、異なる位置合わせ手順および／またはオフセット手順を提供できる。プロセッサ１２８０は、他のサブシステムに関する測定を行うため、他のサブシステムに対するハンドオフを行うため、再選択を行うためなどに、スケーリング情報および／またはチップレート情報を利用することもできる。プロセッサ１２８０は、パラメータスケーリングによって、フレキシブル帯域幅の使用と関連付けられた時間延長の効果を反転できる。基地局１０５−ｅにおいて、モバイルデバイス１１５−ｇからのＵＬ信号を、アンテナ１２３４によって受信し、復調器１２３２によって処理し、適用可能な場合、ＭＩＭＯ検出器１２３６によって検出し、受信プロセッサによってさらに処理できる。受信プロセッサ１２３８は、復号されたデータをデータ出力に提供し、プロセッサ１２８０に提供できる。いくつかの実施形態では、プロセッサ１２８０は、シグナリングとデータトラフィックとをフレキシブル帯域幅搬送波であってよい異なる搬送波に分離するように構成できる。場合によっては、割り当てられたリソースをトラフィックパターンに合わせてカスタマイズできるように、これを利用できる。いくつかの実施形態では、プロセッサ１２８０は、汎用プロセッサ、送信プロセッサ１２６４、および／または受信機プロセッサ１２５８の一部として実施できる。
【手続補正１９】
【補正対象書類名】明細書
【補正対象項目名】０１３７
【補正方法】変更
【補正の内容】
【０１３７】
いくつかの実施形態は、トラフィックデータを第３の搬送波上で送受信することを含むことができる。シグナリングデータを第２の搬送波上で送信できる。シグナリングデータは、トラフィックデータ第３の搬送波に対応し得る。第２の搬送波は、少なくとも第１の搬送波または第３の搬送波に関する情報を搬送できる。第３の搬送波はフレキシブル帯域幅搬送波であってよい。いくつかの実施形態は、トラフィックデータを第３の搬送波上で送受信することと、シグナリングデータを第４の搬送波上で送信することとを含むことができる。第４の搬送波は、少なくとも第１の搬送波または第３の搬送波に関する情報を搬送することが可能であり、第２の搬送波は、少なくとも第１の搬送波または第３の搬送波に関する情報を搬送できる。第４の搬送波上のシグナリングデータは第３の搬送波上のトラフィックデータに対応し得る。
【手続補正２０】
【補正対象書類名】明細書
【補正対象項目名】０１４５
【補正方法】変更
【補正の内容】
【０１４５】
本開示の前述の説明は、当業者が本開示を行うこと、または本開示を使用することを可能にするために提供される。本開示に対する様々な修正は当業者に容易に分かるであろうし、本開示の趣旨または範囲から逸脱せずに、本明細書で定義された一般原理を他の変形例に適用できる。本開示を通して「例」または「例示的」という用語は、例または事例を示し、述べられた例に関する何らかの選好を意味せず、またはそのような選好を必要としない。従って、本開示は、本明細書で説明された例および設計に限定されず、本明細書で開示された原理および新規性のある特徴に一致する最大範囲が与えられるものである。
以下に、本願出願の当初の特許請求の範囲に記載された発明を付記する。
[Ｃ１]
シグナリングデータを第１の搬送波上で受信することと、
前記シグナリングデータを前記第１の搬送波上で受信することからトラフィックデータを第２の搬送波上で少なくとも送信または受信することに遷移させることと
を備える、無線通信の方法。
[Ｃ２]
前記トラフィックデータを前記第２の搬送波上で少なくとも送信または受信することから前記シグナリングデータを前記第１の搬送波上で受信することへの遷移を行うこと
をさらに備える、Ｃ１に記載の方法。
[Ｃ３]
前記トラフィックデータを前記第２の搬送波上で少なくとも送信または受信することから前記トラフィックデータを第３の搬送波上で少なくとも送信または受信することに遷移させること
をさらに備える、Ｃ１に記載の方法。
[Ｃ４]
前記シグナリングデータを前記第１の搬送波上で受信することから前記シグナリングデータを第４の搬送波上で受信することに遷移させること
をさらに備える、Ｃ２に記載の方法。
[Ｃ５]
シグナリングデータを前記第１の搬送波上で送信すること
をさらに備える、Ｃ１に記載の方法。
[Ｃ６]
前記第１の搬送波が前記第２の搬送波に関する情報を搬送する、Ｃ１に記載の方法。
[Ｃ７]
前記シグナリングデータを前記第１の搬送波上で受信すること、および前記トラフィックデータを前記第２の搬送波上で少なくとも送信または受信することがモバイルデバイスで生じる、Ｃ１に記載の方法。
[Ｃ８]
少なくとも前記第１の搬送波または前記第２の搬送波がフレキシブル帯域幅搬送波を備える、Ｃ１に記載の方法。
[Ｃ９]
前記第１の搬送波が第１の帯域幅を利用し、前記第２の搬送波が第２の帯域幅を利用する、Ｃ１に記載の方法。
[Ｃ１０]
第１のスケーリング係数を利用して、前記第１の帯域幅をスケーリングすることと、
第２のスケーリング係数を利用して、前記第２の帯域幅をスケーリングすることと
をさらに備える、Ｃ９に記載の方法。
[Ｃ１１]
少なくとも前記第１の帯域幅または前記第２の帯域幅を動的に調整すること
をさらに備える、Ｃ１０に記載の方法。
[Ｃ１２]
少なくとも前記第１の帯域幅または前記第２の帯域幅を動的に調整することが、
少なくとも前記第１の帯域幅または前記第２の帯域幅を予測されるトラフィック需要に基づいて調整すること
を備える、Ｃ１１に記載の方法。
[Ｃ１３]
前記第１のスケーリング係数を利用して、少なくとも前記第１の帯域幅をスケーリングすること、または前記第２の係数を利用して、前記第２の帯域幅をスケーリングすることが、
異なるスケーリング係数を利用して、少なくとも前記第１の帯域幅もしくは前記第２の帯域幅について少なくともアップリンクまたはダウンリンクをスケーリングすること
をさらに備える、Ｃ９に記載の方法。
[Ｃ１４]
トラフィックデータを第１の搬送波上で少なくとも送信または受信することと、
シグナリングデータを他のトラフィックデータのいずれからも別に第２の搬送波上で送信することと
を備える、無線通信の方法。
[Ｃ１５]
前記トラフィックデータを前記第１の搬送波上でモバイルデバイスに少なくとも送信または受信することから前記シグナリングデータを前記第２の搬送波上で前記モバイルデバイスに送信することに遷移させること
をさらに備える、Ｃ１４に記載の方法。
[Ｃ１６]
前記シグナリングデータを前記第２の搬送波上で前記モバイルデバイスに送信することから前記トラフィックデータを前記第１の搬送波上で前記モバイルデバイスに少なくとも送信または受信することに遷移させること
をさらに備える、Ｃ１５に記載の方法。
[Ｃ１７]
前記トラフィックデータを前記第１の搬送波上で少なくとも送信または受信すること、および前記シグナリングデータを前記第２の搬送波上で送信することへの遷移を行うこと
をさらに備える、Ｃ１４に記載の方法。
[Ｃ１８]
前記第２の搬送波が少なくとも前記第１の搬送波に関する情報を搬送する
Ｃ１４に記載の方法。
[Ｃ１９]
シグナリングデータを前記第２の搬送波上で受信すること
をさらに備える、Ｃ１４に記載の方法。
[Ｃ２０]
少なくとも前記第１の搬送波または前記第２の搬送波がフレキシブル帯域幅搬送波を備える、Ｃ１４に記載の方法。
[Ｃ２１]
前記第１の帯域幅および前記第２の帯域幅が共通のスケーリング係数を利用する、Ｃ２０に記載の方法。
[Ｃ２２]
少なくとも前記第１の搬送波または前記第２の搬送波が通常の帯域幅搬送波を備える、Ｃ２０記載の方法。
[Ｃ２３]
前記トラフィックデータを少なくとも送信または受信すること、または前記シグナリングデータを送信することが、少なくともシグナリング容量、トラフィック容量、またはページング容量を増加させる、Ｃ１４に記載の方法。
[Ｃ２４]
前記シグナリングデータが、トラフィックデータを前記第１の搬送波上で送信するために必要であることも、必要でないこともある、少なくともブロードキャストメッセージ、システム情報ページング、同期、パイロットデータ、セル構成パラメータ、ページ、またはオペレータ特定情報を備える、Ｃ１４に記載の方法。
[Ｃ２５]
前記トラフィックデータが、前記トラフィックデータを支援するために、少なくともユーザデータまたは制御情報を備える、Ｃ１４に記載の方法。
[Ｃ２６]
前記第２の搬送波がアイドルモードに関して使用され、前記第１の帯域幅搬送波が接続モードに関して利用される、Ｃ１４に記載の方法。
[Ｃ２７]
前記第１の搬送波内および前記第２の搬送波内のユーザが、少なくともコード、時間、または周波数によって分離される、Ｃ１４に記載の方法。
[Ｃ２８]
前記第１の搬送波上のユーザが前記第２の搬送波上のユーザとは異なって分離される、Ｃ１４に記載の方法。
[Ｃ２９]
前記第１の搬送波内のユーザが時間によって分離され、前記第２の搬送波上の前記ユーザが周波数によって分離される、Ｃ２８に記載の方法。
[Ｃ３０]
前記第１の搬送波がＦＤＤを利用し、前記第２の搬送波がＴＤＤを利用する、Ｃ１４に記載の方法。
[Ｃ３１]
少なくとも前記第１の搬送波または前記第２の搬送波が、少なくともコード、時間、または周波数を利用して、順方向リンク伝送と逆方向リンク伝送とを分離する、Ｃ１４に記載の方法。
[Ｃ３２]
前記第１の搬送波および前記第２の搬送波が、異なる方式で順方向リンク伝送と逆方向リンク伝送とを分離する、Ｃ３１に記載の方法。
[Ｃ３３]
前記第１の搬送波の帯域幅が第１のスケーリング係数を利用してスケーリングされ、前記第２の搬送波の帯域幅が第２のスケーリング係数を利用してスケーリングされる、Ｃ１４に記載の方法。
[Ｃ３４]
少なくとも前記第１のスケーリング係数または前記第２のスケーリング係数が動的に調整される、Ｃ３３に記載の方法。
[Ｃ３５]
少なくとも前記第１のスケーリング係数または前記第２のスケーリング係数を動的に調整することが、予測されるトラフィック需要に基づく、Ｃ３４に記載の方法。
[Ｃ３６]
トラフィックデータを第３の搬送波上で少なくとも送信または受信することと、
シグナリングデータを前記第２の搬送波上で送信することをさらに備え、前記第２の搬送波が少なくとも前記第１の搬送波または前記第３の搬送波に関する情報を搬送する、Ｃ１４に記載の方法。
[Ｃ３７]
トラフィックデータを第３の搬送波上で少なくとも送信または受信することと、
シグナリングデータを第４の搬送波上で送信することをさらに備え、前記第４の搬送波が少なくとも前記第１の搬送波または前記第３の搬送波に関する情報を搬送し、前記第２の搬送波が少なくとも前記第１の搬送波または前記第３の搬送波に関する情報を搬送する、Ｃ１４に記載の方法。
[Ｃ３８]
少なくとも前記トラフィックデータもしくは前記シグナリングデータを少なくとも送信または受信することが基地局で生じる、Ｃ１４に記載の方法。
[Ｃ３９]
少なくとも前記トラフィックデータもしくは前記シグナリングデータを少なくとも送信または受信することがモバイルデバイスで生じる、Ｃ１４に記載の方法。
[Ｃ４０]
シグナリングデータを第１の搬送波上で受信するための手段と、
シグナリングデータを前記第１の搬送波上で受信することからトラフィックデータを第２の搬送波上で少なくとも送信または受信することに遷移させるための手段と
を備える無線通信システム。
[Ｃ４１]
前記トラフィックデータを前記第２の搬送波上で少なくとも送信または受信することから前記シグナリングデータを前記第１の搬送波上で受信することへの遷移を行うための手段
をさらに備える、Ｃ４０に記載の無線通信システム。
[Ｃ４２]
前記第１の搬送波が第１の帯域幅を利用し、前記第２の搬送波が第２の帯域幅を利用し、
第１のスケーリング係数を利用して、前記第１の帯域幅をスケーリングするための手段と、
第２のスケーリング係数を利用して、前記第２の帯域幅をスケーリングするための手段と
をさらに備える、Ｃ４０に記載の無線通信システム。
[Ｃ４３]
少なくとも前記第１のスケーリング係数または前記第２のスケーリング係数を動的に調整するための手段
をさらに備える、Ｃ４２に記載の無線通信システム。
[Ｃ４４]
少なくとも前記第１のスケーリング係数または前記第２のスケーリング係数を動的に調整するための前記手段が、
少なくとも前記第１のスケーリング係数または前記第２のスケーリング係数を予測されるトラフィック需要に基づいて調整するための手段
を備える、Ｃ４３に記載の無線通信システム。
[Ｃ４５]
シグナリングデータを第１の搬送波上で受信するためのコードと、
シグナリングデータを前記第１の搬送波上で受信することからトラフィックデータを第２の搬送波上で少なくとも送信または受信することに遷移させるためのコードと
を備えた非一時的コンピュータ可読媒体
を備える、無線通信システムのためのコンピュータプログラム製品。
[Ｃ４６]
前記非一時的コンピュータ可読媒体が、
前記トラフィックデータを前記第２の搬送波上で少なくとも送信または受信することから前記シグナリングデータを前記第１の搬送波上で受信することへの遷移を行うためのコードをさらに備える、Ｃ４５に記載のコンピュータプログラム製品。
[Ｃ４７]
前記非一時的コンピュータ可読媒体が、
第１のスケーリング係数を利用して、前記第１の搬送波の帯域幅をスケーリングするためのコードと、
第２のスケーリング係数を利用して、前記第２の搬送波の帯域幅をスケーリングするためのコードと
をさらに備える、Ｃ４５に記載のコンピュータプログラム製品。
[Ｃ４８]
前記非一時的コンピュータ可読媒体が、
少なくとも前記第１のスケーリング係数または前記第２のスケーリング係数を動的に調整するためのコード
をさらに備える、Ｃ４７に記載のコンピュータプログラム製品。
[Ｃ４９]
少なくとも前記第１のスケーリング係数または前記第２のスケーリング係数を動的に調整するためのコードをさらに備えた前記非一時的コンピュータ可読媒体が、
少なくとも前記第１のスケーリング係数または前記第２のスケーリング係数を予測されるトラフィック需要に基づいて調整するためのコードをさらに備える、Ｃ４８に記載のコンピュータプログラム製品。
[Ｃ５０]
シグナリングデータを第１の搬送波上で受信し、
シグナリングデータを前記第１の搬送波上で受信することからトラフィックデータを第２の搬送波上で少なくとも送信または受信することに遷移させるように構成された、少なくとも１つのプロセッサと、
前記少なくとも１つのプロセッサと結合された、少なくとも１つのメモリと
を備える無線通信デバイス。
[Ｃ５１]
前記少なくとも１つのプロセッサが、
前記トラフィックデータを前記第２の搬送波上で少なくとも送信または受信することから前記シグナリングデータを前記第１の搬送波上で受信することへの遷移を行うようにさらに構成される、Ｃ５０に記載の無線通信デバイス。
[Ｃ５２]
前記少なくとも１つのプロセッサが、
第１のスケーリング係数を利用して、前記第１の搬送波の帯域幅をスケーリングし、
第２のスケーリング係数を利用して、前記第２の搬送波の帯域幅をスケーリングするようにさらに構成される、Ｃ５０に記載の無線通信デバイス。
[Ｃ５３]
前記少なくとも１つのプロセッサが、
少なくとも前記第１のスケーリング係数または前記第２のスケーリング係数を動的に調整するようにさらに構成される、Ｃ５２に記載の無線通信デバイス。
[Ｃ５４]
前記少なくとも１つのプロセッサが、少なくとも前記第１のスケーリング係数または前記第２のスケーリング係数を動的に調整することを行うように構成され、
少なくとも前記第１のスケーリング係数または前記第２のスケーリング係数を予測されるトラフィック需要に基づいて調整するようにさらに構成される、Ｃ５３に記載の無線通信デバイス。
[Ｃ５５]
トラフィックデータを第１の搬送波上で少なくとも送信または受信するための手段と、
シグナリングデータを他のトラフィックデータのいずれからも別に第２の搬送波上で送信するための手段と
を備える無線通信システム。
[Ｃ５６]
前記トラフィックデータを前記第１の搬送波上でモバイルデバイスに少なくとも送信または受信することから前記シグナリングデータを前記第２の搬送波上で前記モバイルデバイスに送信することに遷移させるための手段をさらに備える、Ｃ５５に記載の無線通信システム。
[Ｃ５７]
前記シグナリングデータを前記第２の搬送波上で前記モバイルデバイスに送信することから前記トラフィックデータを前記第１の搬送波上で前記モバイルデバイスに少なくとも送信または受信することに遷移させるための手段をさらに備える、Ｃ５６に記載の無線通信システム。
[Ｃ５８]
前記トラフィックデータを前記第１の搬送波上で少なくとも送信または受信すること、およびシグナリングデータを前記第２の搬送波上で送信することへの遷移を行うための手段をさらに備える、Ｃ５５に記載の無線通信システム。
[Ｃ５９]
前記トラフィックデータを第３の搬送波上で少なくとも送信または受信するための手段と、
シグナリングデータを前記第２の搬送波上で送信するための手段であって、前記第２の搬送波が少なくとも前記第１の搬送波または前記第２の搬送波に関する情報を搬送する、送信するための手段と
をさらに備える、Ｃ５５に記載の無線通信システム。
[Ｃ６０]
トラフィックデータを第１の搬送波上で少なくとも送信または受信するためのコードと、
シグナリングデータを他のトラフィックデータのいずれからも別に第２の搬送波上で送信するためのコードと
を備えた非一時的コンピュータ可読媒体を備える、無線通信システムのためのコンピュータプログラム製品。
[Ｃ６１]
前記非一時的コンピュータ可読媒体が、
前記トラフィックデータを前記第１の搬送波上でモバイルデバイスに少なくとも送信または受信することから前記シグナリングデータを前記第２の搬送波上で前記モバイルデバイスに送信することに遷移させるためのコードをさらに備える、Ｃ６０に記載のコンピュータプログラム製品。
[Ｃ６２]
前記非一時的コンピュータ可読媒体が、
前記シグナリングデータを前記第２の搬送波上で前記モバイルデバイスに送信することから前記トラフィックデータを前記第１の搬送波上で前記モバイルデバイスに少なくとも送信または受信することに遷移させるためのコードをさらに備える、Ｃ６１に記載の無線通信システム。
[Ｃ６３]
前記非一時的コンピュータ可読媒体が、
前記トラフィックデータを前記第１の搬送波上で少なくとも送信または受信すること、およびシグナリングデータを前記第２の搬送波上で送信することへの遷移を行うためのコードをさらに備える、Ｃ６０に記載のコンピュータプログラム製品。
[Ｃ６４]
前記非一時的コンピュータ可読媒体が、
トラフィックデータを第３の搬送波上で少なくとも送信または受信するためのコードと、
シグナリングデータを前記第２の搬送波上で送信するためのコードであって、前記第２の搬送波が少なくとも前記第１の搬送波または前記第３の搬送波に関する情報を搬送する、送信するためのコードと
をさらに備えるＣ６０に記載のコンピュータプログラム製品。
[Ｃ６５]
トラフィックデータを第１の搬送波上で少なくとも送信または受信し、
シグナリングデータを他のトラフィックデータのいずれからも別に第２の搬送波上で送信するように構成された、少なくとも１つのプロセッサと、
前記少なくとも１つのプロセッサに結合された、少なくとも１つのメモリと
を備える無線通信デバイス。
[Ｃ６６]
前記少なくとも１つのプロセッサが、
前記トラフィックデータを前記第１の搬送波上でモバイルデバイスに少なくとも送信または受信することから前記シグナリングデータを前記第２の搬送波上で前記モバイルデバイスに送信することに遷移させるようにさらに構成される、Ｃ６５に記載の無線通信デバイス。
[Ｃ６７]
前記少なくとも１つのプロセッサが、
前記シグナリングデータを前記第２の搬送波上で前記モバイルデバイスに送信することから前記トラフィックデータを前記第１の搬送波上で前記モバイルデバイスに送信することに遷移させるようにさらに構成される、Ｃ６６に記載の無線通信デバイス。
[Ｃ６８]
前記少なくとも１つのプロセッサが、
前記トラフィックデータを前記第１の搬送波上で少なくとも送信または受信すること、およびシグナリングデータを前記第２の搬送波上で送信することへの遷移を行うようにさらに構成される、Ｃ６５に記載の無線通信デバイス。
[Ｃ６９]
前記少なくとも１つのプロセッサが、
トラフィックデータを第３の搬送波上で少なくとも送信または受信することと、
シグナリングデータを前記第２の搬送波上で送信することであって、前記第２の搬送波が少なくとも前記第１の搬送波または前記第３の搬送波に関する情報を搬送する、送信することと
を行うようにさらに構成される、Ｃ６５に記載の無線通信デバイス。